(57)【特許請求の範囲】
【請求項１】
前方に発射体を発射するための武器のための反動制御機構であって、機構は武器の発射の際に実質的に同時に反対方向に駆動される第１の質量部と第２の質量部とを含み、第１の質量部は武器の後方への反動に対抗するために前方へ駆動され、第２の質量部は反動力のいくらかを吸収するために後方へ駆動され、第１の質量部と第２の質量部は、対面する反発面を有し、発射時に武器の発射する薬室から排出されるガスは反発面の間に入って第１の質量部と第２の質量部とを引き離すよう駆動する、反動制御機構。
【請求項２】
フレームを含み、第１の質量部と第２の質量部とはフレームに関連してフレームはそれぞれの前方および後方への運動を誘導し、さらに
第２の質量部とフレームとの間で動作する力吸収手段と、第１の質量部とフレームとの間で動作する力伝達手段とを含む、請求項１に記載の反動制御機構。
【請求項３】
フレームは武器に、機構がこれに関連して動作可能であって第１および第２の質量部を武器の発射の際に前記反対方向に駆動するよう、装着可能である、請求項２に記載の反動制御機構。
【請求項４】
前方に発射体を発射するための武器であって、武器は請求項１、請求項２、または請求項３のいずれかに記載の反動制御機構を含む、武器。
【請求項５】
前方に発射体を発射するための武器であって、武器は武器の発射の際に実質的に同時に反対方向に駆動される第１の質量部と第２の質量部とを含み、第１の質量部は武器の後方への反動に対抗するために前方へ駆動され、第２の質量部は反動力のいくらかを吸収するために後方へ駆動され、第２の質量部は武器の遊底であって第１の質量部は武器の銃身であり、銃身は、銃身の装填端で薬室と関連して発射体を含む弾薬包と爆発推進薬とを受け、遊底と銃身とは、銃身を通して発射体を推進するための推進薬の発射の際に薬室からの膨張するガスを受けるための介在ガス接触領域を含み、膨張するガスは銃身を前方にブローし、かつ同時に遊底を後方にブローする、武器。
【請求項６】
武器の銃身とフレームとに関連して、銃身の前進運動からの前方への力をフレームに伝達するための手段を含む、請求項５に記載の武器。
【請求項７】
銃身の前進運動からの前方への力を武器のフレームに伝達するための手段は、力伝達および力吸収手段であり、圧縮ばね、空気圧または水圧ピストンおよびシリンダ機構、および電磁機構の１つである、請求項６に記載の武器。
【請求項８】
力伝達および力吸収手段は、銃身をその発射位置に戻すよう動作可能である、請求項７に記載の武器。
【請求項９】
銃身と遊底とは、武器のフレームに対して互いに向かってバイアスが付けられる、請求項５に記載の武器。
【請求項１０】
銃身と遊底とは、銃身と遊底との間に接続される引張りばねを介して互いに向かってバイアスが付けられる、請求項９に記載の武器。
【請求項１１】
引張りばねは、発射体を発射するための推進薬のデトネーションの際に瞬間的に遊底をその発射位置に維持するよう動作可能であり、遊底は発射体の前進運動を開始するための反発面を提供する、請求項１０に記載の武器。
【請求項１２】
引張りばねは、遊底の後退運動の後に遊底をその発射位置に戻すよう動作可能である、請求項１１に記載の武器。
【請求項１３】
遊底と銃身との互いに向かうバイアスは、銃身と武器のフレームとの間、および遊底と武器のフレームとの間のそれぞれで独立して作用する手段によって提供される、請求項９に記載の武器。
【請求項１４】
銃身と武器のフレームとの間、および遊底と武器のフレームとの間のそれぞれで独立して作用する手段は、各々らせん圧縮ばねを含む、請求項１３に記載の武器。
【請求項１５】
薬室は銃身によって提供される、請求項５に記載の武器。
【請求項１６】
薬室は遊底によって提供される、請求項５に記載の武器。
【請求項１７】
薬室は銃身と遊底との組合わせによって提供される、請求項５に記載の武器。
【請求項１８】
薬室は別々の構成要素であって、介在ガス接触領域は、一部は２つの対面する反発面によって規定され、その各々は直接または間接的に銃身または遊底のうちの１つと関連する、請求項５に記載の武器。
【請求項１９】
第１の質量部は、第１の質量部と銃身とが前方に駆動するよう武器の銃身と関連し、第２の質量部は武器の遊底である、請求項４に記載の武器。
【請求項２０】
武器から発射体を発射するための爆発推進薬のデトネーションの際に、銃身、第１の質量部および遊底は最初に前方に駆動され、その後に銃身と遊底とは第１の質量部が前進を続けている間に後方に駆動される、請求項１９に記載の武器。
【請求項２１】
銃身は、武器のフレームに対して後方に発射位置に向かってバイアスを付けられ、第１の質量部は銃身の当接に抗してフレームに対してバイアスを付けられ、遊底はフレームに対して前方に発射位置に向かってバイアスを付けられ、介在ガス接触領域は銃身の当接と第１の質量部との間で対向する面によって規定され、かつ銃身によって提供される薬室とガスが連通し、薬室内の爆発推進薬のデトネーションからの膨張するガスは、発射体を薬室から銃身を通って推進させて銃身が第１の質量部とともに前方に駆動するよう動作し、遊底は、膨張するガスが介在ガス接触領域に入るまで銃身と同時に前方に移動するよう前方にバイアスを付けられ、膨張するガスが介在ガス接触領域に入ると遊底は後方に駆動されて同時に第１の質量部は前方に駆動され、銃身の運動は、第１の質量部が前進を続ける一方で、銃身とフレームとの間のバイアスによって反転する、請求項１９に記載の武器。
【請求項２２】
発射体の発射によって起こる武器の反動に対抗するための方法であって、方法は、後方への反動力に対抗するために発射体と同じ方向に前方に駆動されるべき第１の質量部を提供するステップと、後方への反動力のいくらかを実質的に同時に吸収するために力吸収手段に抗して後方へ駆動されるべき第２の質量部を提供するステップと、発射時に武器の発射する薬室から排出されて反発面の間に入り第１の質量部と第２の質量部とを引き離すよう駆動するガスを提供するステップとを含む、方法。
【発明の詳細な説明】
【０００１】
【技術分野】
この発明は武器に関し、特に武器のための反動制御機構に関する。この発明を一般的に小火器に関連して説明するが、この発明は発射体を発射するための他の形状の武器にも適応可能であることを理解されたい。よって、武器とは、小火器などの手持ちの携帯型武器ではなく、たとえばスタンドや砲床などの台で支持される大口径武器でもあり得る。
【０００２】
本明細書において「発射体」という用語は、銃弾、小弾丸、投矢、矢弾、火砲弾頭、たとえばＷＯ９７／０４３８１に記載される発射体、迫撃砲弾（たとえば１２０ｍｍ）またはロケット推進火砲弾などの１個の総じて固体である発射体、および散弾銃薬筒中の散弾などの１個として発射される多数個の装薬、または１個として発射される複数個の銃弾を含むことを理解されたい。
【０００３】
【背景】
発射体を発射するすべての武器、特に爆発推進薬のデトネーションに依拠するものに伴う問題は、反動である。すなわち、武器を（たとえば武器内の爆発推進薬のデトネーションにより）発射すると、発射体への前方への推進推力と、等しく反対方向の後方への力、すなわち反動とが生じる。反動は武器の精度と可搬性とを制限する。第１に、これは武器およびその支持（小火器の場合は射手）の重心を中心として武器を回転させる効果を有する力を生じさせ、その結果次の発射に対して銃身の銃口側を垂直に持ち上げ、かつ横揺れを生じさせる。反動力はまたトルクを生じさせるが、これは武器を「ひねる」効果を有する。銃口は、銃身の長手軸を中心とした不規則な半円運動で標的から投げ出される。したがって銃口が持ちあがる効果と相似して、次の射撃に対して標的を再捕捉する時間はより長くなり、よって精度に顕著に影響を及ぼす。
【０００４】
自動発射の間に、反動は次の射撃の精度に顕著に影響を及ぼし得る。第２に、反動の力は武器によって、または武器が小火器である場合は射手によって吸収され、または砲火器などのより重量のある武器の場合は支持台から地面に伝達される。したがって、これは射手に不快感および疲労を与え、かつ傷害さえ与えるおそれがあり、またはより重量のある支持構造が、または可動砲火器には複雑で「ソフトな」砲架が必要となる。反動速度を吸収するために、しばしば大きな質量部が小火器に用いられるが、これは可搬性を犠牲にする。
【０００５】
明らかに、もし武器の反動が武器自体の中でなくされなくとも実質的に減じることができれば、上述の問題は軽減される。
【０００６】
多くの公知の反動軽減機構があり、それらには爆発推進薬のデトネーションおよび燃焼によって生じる急速に膨張するガスにより起動する構成が含まれる。しかしながら、一般的に公知の構成は反動を打ち消すか少なくとも実質的になくすのではなく、反動を減じることにしか有効ではない。
【０００７】
【発明の概要】
この発明の目的は、向上した反動制御機構を提供することである。
【０００８】
この発明は、後方への反動に対する前方への対抗力を生成し、同時に発射体の推進が開始された直後に後方への反動力を吸収することを特徴とする。
【０００９】
したがって、この発明の第１の局面においては、前方に発射体を発射するための武器に対する反動制御機構が提供され、これは発射の際に実質的に反対方向に駆動される第１の質量部と第２の質量部とを含み、第１の質量部は武器の後方への反動に対抗するために前方に駆動され、第２の質量部は反動力のいくらかを吸収するために後方に駆動され、第１の質量部と第２の質量部は、対面する反発面を有し、発射時に武器の発射する薬室から排出されるガスは反発面の間に入って第１の質量部と第２の質量部とを引き離すよう駆動する。
【００１０】
第１および第２の質量部は、固体慣性重量物（solid inertial weights）である。
【００１１】
好ましくは機構はフレームを含み、第１の質量部と第２の質量部とはフレームに関連し、よってフレームはそれぞれの前方および後方への運動を誘導し、機構はさらに、第２の質量部とフレームとの間で動作する力吸収手段と、第１の質量部とフレームとの間で動作する力伝達手段とを含む。
【００１２】
この発明の第２の局面においては、発射体の発射によって生じた武器の反動に対抗するための方法を提供し、方法は後方への反動力に対抗するために発射体と実質的に同じ方向に前方に駆動されるべき第１の質量部を提供するステップと、後方への反動力のいくらかを実質的に同時に吸収するために力吸収手段に抗して後方へ駆動されるべき第２の質量部を提供するステップと、発射時に武器の発射する薬室から排出されて反発面の間に入り第１の質量部と第２の質量部とを引き離すよう駆動するガスを提供するステップとを含む。
【００１３】
前方への対抗力を生成し、同時に反動の期間にわたる残余反動力を吸収することにより、適切に予め定め得る、合力−時間特性を達成することができる。たとえば、爆発促進剤のデトネーションによって発射される発射体に対しては、武器の反動力は促進剤の量および種類、および関与する質量などから適切に計算し得るか、または実験により経験的に定めることができ、この対抗力に対する適切なパラメータと反動吸収とから、サブ機構を計算（およびおそらくは経験的に調整）して、予め定め得る合力−時間特性を求めることができる。こうして、この発明は向上した反動制御機構を提供する。この発明のいくつかの実施例においては、武器の反動は完全に打ち消されなくとも少なくとも実質的になくなる（すなわち、合力は、反動期間をわたってゼロである）ことが想起される。また、結果として生じる前進力が生成され得ると考えられる。
【００１４】
好ましくは、第１の質量部は銃身であり、第２の質量部は武器の遊底であり、銃身の前進運動からの前進力をフレームに伝達するための、武器の銃身とフレームとに関連する手段が提供される。この手段は、銃身をその発射位置に戻すよう動作する、圧縮ばね、空気圧または水圧ピストンおよびシリンダ機構、または電磁機構を含み得る。
【００１５】
また銃身と遊底とは好ましくは武器のフレームに対して互いに向かってバイアスが付けられる。このバイアスは銃身と遊底との間に接続される引張りばねによって提供され得る。こうして、銃身の前進運動量からの力がフレームに伝達される場合に、遊底に与えられる後方反動力が引張りばねによって吸収される。こうして、引張りばねは、遊底がこれに抗して駆動する力吸収手段を提供する。引張りばねはまた、発射体の前進運動を開始するための十分な反発面を提供するよう、推進剤のデトネーションの際に瞬間的に遊底をその発射位置に維持し、次いでそれを後退運動の後に発射位置に戻すようにも動作し得る。
【００１６】
これに代えて、遊底と銃身との互いに向かうバイアスは、銃身と武器のフレームとの間、および遊底と武器のフレームとの間のそれぞれで独立して作用する手段によって提供され得る。そのような、銃身とフレームとの間で作用する手段は、銃身の前進運動からの力をフレームへ伝達するための上述の手段を構成し得る。独立手段は各々らせん圧縮ばねを含み得る。
【００１７】
好ましい実施例は、上述のように反動を制御するために、銃身の「ブローバック」と同時に起こる遊底の「ブローフォワード」とを組合せるが、この発明は代替的な実施例においても実現可能であることを理解されたい。たとえば、第１の質量部と第２の質量部とは付加的な構成要素であって、それらを引き離すよう駆動するガスは銃身または発射薬室（firing chamber）から引かれてもよい。反動制御機構は、それ自体が武器への付属装置として提供され得る。遊底と銃身とに偏向を付けるための、またガス反発面を提供するための上述のまたは以下のさまざまな特徴は、そのような代替的な実施例の質量部に対して適合し得る。
【００１８】
第１の質量部が銃身であり、第２の質量部が武器の遊底である好ましい構成においては、発射体を含む弾薬包（銃弾など）および爆発推進薬は、好ましくは銃身の装填端から提供される。薬室は、銃身と遊底とに関連して、その間に、発射体を弾薬包から発射する際に薬室からの膨張ガスを受けるための、介在ガス接触領域を提供する。こうして、弾薬包の発射の際に、推進薬からの膨張ガスは発射体を弾薬包から押し出して銃身を通して推進し、発射体の運動開始のわずかに後（momentarily after）に、弾薬包から薬室に出る発射体を追って膨張ガスが介在ガス接触領域に広がって、銃身を前方にブローし同時に遊底を後方にブローすることにより、武器の反動をなくさなくとも減じる。薬室は銃身によって、または遊底によって、または銃身と遊底との組み合わせによって、または別の薬室部材として提供され得る。好ましくは薬室を提供する構成要素は、介在ガス接触領域が、一部では少なくとも２つの対向する反発面によって規定され、各反発面は直接または間接的に、銃身または遊底のうちの１つと関連付けられる構造関係である。好ましくは反発面は、実質的に前進および後退方向に対して直角に配向され、ガス圧によって前方および後方にそこに与えられる力を最大化する。上述の構造関係は、以下に詳述するように一方の構成要素の他方に対する入れ子状の構成によって実現され得る。
【００１９】
武器は、爆発促進剤のデトネーションを開始するための発射機構を含み、かつ好ましい実施例においてはこれは公知のように、フレームによって担持される引金機構を介して動作する、遊底と関連づけられる撃針を含み得ることを理解されたい。武器はこれも公知である、遊底のブローバックの間に蓄えられるエネルギを利用した半自動または全自動動作にも対処するが、この場合は弾倉が必要となる。好適な発射機構および弾薬包のための弾倉を含む半自動または全自動動作を提供するための機構はここでは詳述しないが、それは多くのそのような機構が公知であり、当業者がその中から武器に適切なそのような機構を選択して設けることができるからである。
【００２０】
銃身のブローフォワードにかかわる好ましい形状においては、この発明を援用する武器は、銃身の前進運動量を増大させるための、銃身に関連付けられる付加的な特徴を含み得る。そのような付加的な特徴は公知のように、たとえば銃身に円錐状のボアを設けるか、および／または銃身からガスを転送するための銃口切開（muzzle break）を設けることを含む。好ましい形状における武器は、ライフル、散弾銃、拳銃または回転弾倉拳銃などの小火器であり得る。
【００２１】
この発明のよりよい理解のために、さまざまな実施例および、非限定的な例としてのみ示される特定の実施例に対する原則を、添付の図面（実物のスケールでは示さない）を参照して説明する。
【００２２】
【詳細な説明】
図１から図４に概略的に示される武器の反動制御機構１０は、武器の銃身１２である第１の質量部と、武器の遊底１４である第２の質量部とを有する。銃身１２は、バイアス付加手段１６に抗し武器のフレーム１８に対して前方に可動であり、遊底１４はバイアス付加手段２０に抗しフレーム１８に対して後方に可動である。バイアス付加手段１６および２０は、らせん圧縮ばねであり得る。銃身はその装填側で、銃弾２５を備えた弾薬包２４を受ける薬室２２を規定し、かつ遊底１４の窪み２６内に入れ子状に受けられる。
【００２３】
遊底の窪み２６および銃身１２は、発射準備完了位置（図１）にある場合に介在するガス接触領域、すなわち環状容積部２８を規定するよう整形される。薬室２２から容積部２８へのガス流のためにポート２９が設けられる。介在ガス接触領域２８は、一部は銃身１２の反発面３０によって、および遊底１４の対抗する反発面３２によって規定される。面３０および３２は、前進方向および後退方向に対して実質的に垂直に位置する。撃針３４は遊底１４に付随する。
【００２４】
発射時に、弾薬包２４内の爆発推進薬からの急速膨張ガス３６は、銃弾２４を銃身１２のボアに推進し、かつポート２９から介在ガス接触領域２８に流れる（図２）。領域２８に入る超高圧ガスは、反発面３０および３２に作用し、こうして銃身１２を前方に（図３の矢印Ａ）および遊底１４を後方に（図３の矢印Ｂ）同時に押しやる、すなわち「ブロー」する。銃身１２のブローフォワードおよび遊底１４のブローバックは、ポート２９と薬室２２とが近接しているので発射のわずかに後に開始する。遊底１４の後退運動すなわち反動はバイアス付加手段２０によって吸収されるが、これはバイアス付加手段１６の特徴に対する好適な特徴を有し、力の大部分をすぐにフレーム１８に伝達せずに蓄えることを確実にする。同時に、銃身１２の前進運動からの力は、バイアス付加手段１６を介してフレーム１８に伝達されるが、これはバイアス付加手段２０と比較してより剛性のある特徴を有し、対抗反動力を迅速にフレーム１８に伝達することを確実にする。こうして弾薬包２４内の爆発物のデトネーションで生じる後方の反動と、銃弾２５を銃身１２を通して推進するガス３６の膨張とは、同時に両方ともバイアス付加手段２０によって吸収され、かつ銃身１２からフレーム１８に加えられる反対方向の力によって対抗される。その結果、武器の反動は完全に、または少なくとも実質的になくなる。銃身１２の前進運動および遊底１４の後退運動の限界点で（図４）、薬莢２４は蹴子３５により排出され、バイアス付加手段１６および２０は、部品を発射準備完了位置に戻すよう動作可能である。
【００２５】
図５は、薬室ユニット４０が遊底１４と銃身１２との間に介在して設けられる変形例を概略的に示す（図１から図４の構成要素と等価である図５の構成要素には同様の参照符号を付与するが、いくつかの特徴はわかりやすくするために図５から省かれていることに留意されたい）。薬室ユニット４０の前方円筒状部分４２は、銃身１２のより広い円筒状の窪み４４内に入れ子状に係合し、銃身１２および薬室ユニット４０のそれぞれの対向する反発面３０および３２によって一部が規定される介在ガス接触領域を提供する。この構成によって、ポート２９はなくされるが、それでも図１から図４の構成と同様に機能する。
【００２６】
介在ガス接触領域の反発面は、所望のいずれの形状であってもよい。よって図１から図５に示すように平坦であるかわりに、湾曲した部分、溝付きの部分であってもよく、これらには急速膨張ガス３６が作用する表面積を増大させるための凹みまたは他の変形例が含まれる。
【００２７】
膨張ガスの圧力が減少した後で、遊底１４と銃身１２とは、それぞれバイアス付加手段２０および１６に蓄えられたエネルギによって、図１に示される位置に戻る。薬莢２４の自動排出のための機構を３５で示す（図４）。発射を準備するための、薬室２２に別の弾薬包を自動装填するための機構は図１から図５には図示しないが、公知であるように遊底１４の後方へ次いで前方への運動によって動作されるか、またはこれに代えて銃身１２の前方へ次いで後方への運動によって動作されるか、またはこれらの組み合わせによって動作されてもよい。
【００２８】
図６Ａから図６Ｄは、原則として、反動が介在ガス接触領域を用いることなく、銃身の「ブローフォワード」と同時の遊底の「ブローバック」とによって制御される武器を示す。よって、図はフレーム５２を含む武器５０を示し、フレーム５２には圧縮ばね５６によって後方にバイアスが付けられた銃身５４が相互的に搭載される。フレーム５２はまた、圧縮ばね６０によって前方にバイアスが付けられる遊底５８をも担持する。
【００２９】
弾薬包６２のデトネーションの際に、銃弾６４は前方に推進され、その銃身５４を通る運動は銃身を前方に駆動するが、この運動は銃弾６４が銃身５４を出た後も続く（図６Ｂ、図６Ｃおよび図６Ｄ）。また発射の際に、弾薬包６２からの後方への力は遊底５８に衝撃を与え、これがばね６０に抗して遊底を後方に駆動する。運動する質量部である銃身５４によって前方への力が生じて後方への反動に対向するよう、ばね５６は比較的弱い。この力のいくらかはばね５６を介してフレーム５２に伝達されて、後方への反動に対向する、組合された実質的に前方への力が生成される。同時に遊底５８に課せられた反動力はばね６０によって吸収される。質量部である銃身５４ならびに遊底５８、およびばね５６ならびに６０のばね特性は、反動を効果的になくすよう構成され得る。
【００３０】
図７Ａから図７Ｆは、フレーム８２を有する武器８０を示し、フレーム８２には銃身８４と遊底８６とが搭載される。可動質量部８８が銃身８４を囲む。銃身８４は、ばね９０によってフレーム８２に対する静止位置にバイアスが付けられ、質量部８８は二重ばね構成９６によってフレーム８２に対して銃身８４の当接９２に抗してバイアスが付けられる。遊底８６は、ばね９６によってフレーム８２に対して前方にバイアスが付けられる。介在ガス接触領域は、銃身８４の当接９２の対向面および質量部８８の端部面によって規定され、通路９８を介して銃身８４の薬室部分にガスが連通する。
【００３１】
図７Ａから図７Ｆに、弾薬包１００の発射の際の武器８０内の反動制御についての一連の事象を示す。こうして、デトネーションの際に、銃身は最初に銃弾１０２によってばね９０のバイアスに抗して前方に駆動され、かつ実質的に瞬時にガスがガス接触領域に押し入り、二重ばね９４に抗して質量部８８を前方に駆動するが、そのばね９４の最初の部分は容易に圧縮可能である（図７Ａおよび７Ｂ）。ばね９６は遊底８６と銃身８４とを前方に駆動する。質量部８８が前進を続けている間に、銃身８４は次いでばね９０と当接９２上のガス圧とによって後方に駆動され、遊底８６をばね９６に抗して後方に駆動する（図７Ｃ、図７Ｄ、図７Ｅ）。これは薬莢１００を銃身８４の薬室端部から排出する。質量部８８は前進を続けるが、ここで最前位置（図７Ｆ）に到達するまで二重ばね構成９４の第２の部分によって提供されるより強いバイアスに抗して運動し、到達した時点で遊底８６もその最後位置に実質的に到達する。質量部８８および遊底８６は、次いでそれぞればね９４および９６に蓄えられたエネルギによってそれらの最初の位置にリセットされる。
【００３２】
最初の銃身８４、遊底８６および質量部８８の前方への運動は、後続のばね９６に抗する銃身８４および遊底８６の後方への運動、および同時に二重ばね９４に抗して前進を続ける質量部８８の運動と組合されて、武器８０における反動の制御を可能にする。
【００３３】
例示的な武器、すなわちこの発明の実施例を援用した拳銃１００は、弾倉１０６が収容されるハンドル１０４を有するフレーム１０２（図８および図９）を含む。フレーム１０２に搭載されるのは銃身１０８およびスライド１１０の形状での遊底である。スライドの遊底面１１２（図９に最良に図示する）は薬室ユニット１１６に設けられる薬室１１４を閉鎖し、スライドの前方部分１１８が銃身１０８を囲む。スライド１１０の前方部分１１８は、銃身１０８の前方端部との相対的な運動に対して支持するためのブッシング１２０を含む。
【００３４】
スライド１１０はらせん圧縮ばね１２２により付与されるバイアスに抗して、フレーム１０２に対して後方に可動であり、らせん圧縮ばね１２２は、ピン１２６によってフレーム１０２に留められるボス１２４と、銃身１０８の下のスライドの前方部分１１８に設けられるばね保持ブラケット構成１２８との間で作用する。ピン部材１３０（円筒形であってもよい）は、ブラケット１２４を通って延在し、ばね１２２がスライド１１０の後退運動にしたがって圧縮するのを誘導し支持する。フレーム１０２は、ばね１２２を覆うための延長部１３２を含む。
【００３５】
銃身１０８は、フレーム１０２に留められたボス１２４と銃身１０８の付属ラグ１３６との間で作用するらせん圧縮ばね１３４によって付与されるバイアスに抗して、フレーム１０２に対して前方に可動である。ピン部材１３０は、ばね１３４を支持するためのラグ１３６に関連する。ピン部材１３０は、ボス１２４を通って滑動可能である。銃身１０８のラグ１３６の最低部表面のリブは、フレーム１０２内の溝を滑動して銃身を誘導する。
【００３６】
フレーム１０２は、引金１３８および撃鉄１４０を含む発射機構を担持し、これらは図８の実線に示す位置から後方に動くときにスライド１１０によって起こされるよう適合される。発射機構の詳細は示さないが、この実施例が模したコルト「エース」拳銃のものと同じであるか、それに類似し得る。引金１３８が引かれると、撃鉄１４０が解放されてスライド１１０に担持される撃針１４２の後部端を打つ。
【００３７】
薬室ユニット１１６は、銃身１０８の後部端における円筒状の窪み内に入れ子状に係合するための円筒所の前方部分を含み、介在ガス接触領域１４４を提供する。ガス接触領域の一部は、銃身および薬室ユニットの対向する反発面によって規定される。薬室ユニット１１６の後方部分は、スロット１４８を含む付属延長部１４６（図９を参照）を含む。フレーム１０２に固定されるピン１５０はスロット１４８を通り、よってスロットとピン１５０とは合わせて薬室ユニット１１６の運動の前進および後退限界を規定する。Ｖ字ばね１５２が薬室ユニット１１６の付属延長部１４６とフレーム１０２表面との間に保持されて、薬室ユニット１１６をその最前位置にバイアスする。延長部１４６は、弾薬包を薬室１１４に誘導するための斜面を提供するための傾斜した上面１５４（図９に最良に示す）を有する後方突出部を含む。
【００３８】
スライド１１０は、スライド１１０が後方に移動するときに、係合して弾薬包を薬室１１４から引くよう適合される抽筒子を含む。薬莢が抽筒子によって引き出されると、これは蹴子と係合してスライド１１０の排出口１５６から放出される（図９を参照）。
【００３９】
弾倉１０６は弾薬包１５８を保持し、その最上部はスライド１１０の付属中央リブ１６０に抗する。弾倉には公知のスプリングフォロワが設けられて、最上部の弾薬包が引かれて拳銃１００によって発射されるごとに、連続的に弾薬包を押し上げる。
【００４０】
図８は、装填され撃鉄が上げられた拳銃を示す。発射の際に、弾薬包と薬室ユニット１１６とは後方に（Ｖ字ばね１５２のバイアスに抗して）反動し、実質的に同じ瞬間に高圧膨張ガスのいくらかがガス接触領域１４４に入り、反発面に衝撃を与えてブローし、薬室ユニット１１６と銃身１０８とを引き離す。これは薬室ユニット１１６とスライド１０８とをばね１２２のバイアスに抗して後方に駆動する。薬室ユニット１１６は、スロット１４８の前方端がピン１５０に接触したときに停止するが、スライド１１０は後方に進みつづけて、反動力をばね１２２にさらに吸収させる。同時に、銃身１０８の前進運動からの力はラグ１３６とボス１２４との間で作用するばね１３４を介してフレーム１０２に伝達される。この力は、薬室ユニット１１６の延長部１４６がフレーム１０２のピン１５０を打つことにより生じる力を含めた反動と反作用する。スライド１１０のブローバックと銃身の１０８のブローフォワードとの組合せと、ばね１２２および１３４のフレームに対する作用とは合わせて、拳銃１００の反動を実質的になくすことを可能にする。
【００４１】
スライド１１０は、図９に示す位置まで後方に移動し、こうして発射機構の撃鉄を起こす。これは直ちにばね１２２に蓄えられたエネルギによって前方に戻り、その運動の間にその中央リブ１６０は弾倉１０６の最上位の弾薬包１５８と係合して、これを薬室ユニット１１６の薬室１１４内に押込むが、この時点で薬室ユニット１１６はＶ字ばね１５２によってリセットされている。弾薬包１５８は薬室ユニット１１６の傾斜面１５４によって薬室１１４に誘導される。スライド１１０は、図８に示される位置で前方に薬室ユニット１１６を保持する。同じ時に、銃身１０８はばね１３４に蓄えられたエネルギによって後退し、図８に示される通常の位置に戻る。こうして再度撃鉄を起こし再装填することが達成され、拳銃１００は再び発射する準備が完了する。
【００４２】
詳細な実施例(図８および図９）は１つしか説明しなかったが、この発明の原則は複雑ではなく、過度の実験なしに他の種類の武器に適用可能である。こうして、この発明は、可動または静置火砲武器を含む、より大きな口径の武器にも適用可能であることを理解されたい。また、この発明は、ＷＯ９４／２０８０９およびＷＯ９８／１７９６２に開示される種類の武器にも適用可能であると考えられる。
【００４３】
また、この発明は、推進薬がたとえば弾薬包のように封入されるか、またはたとえばケースレスの弾薬のような発射体を発射するために提示されるか、または固体、気体、液体の推進薬であるかにかかわらず、発射体が爆発推進薬のデトネーションを介して発射される用途に制限されるものではない。こうして、この発明は発射体を前方に推進するために必要である高圧を生成する手段および態様が生ずるかどうかにかかわらず、発射体を発射しかつ反動が起こるすべての種類の武器に適用可能であると考えられる。そのような手段または態様は、たとえば電磁的（「電磁砲」のように）または電熱システム、さまざまな種類の空気推進システムおよび他のものを含み得ると考えられる。
【００４４】
最後に、さまざまな代替例、変形例および／または付加が、前掲の特許請求の範囲に定義されるこの発明の範囲から逸脱することなく、この発明に対してなされ得ることを理解されたい。
【図面の簡単な説明】
【図１】  この発明の動作原則を示す概略図である。
【図２】  この発明の動作原則を示す概略図である。
【図３】  この発明の動作原則を示す概略図である。
【図４】  この発明の動作原則を示す概略図である。
【図５】  この発明に対する、銃身、薬室ユニット、および遊底の用途を概略的に示す図である。
【図６Ａ】  原則に沿ったさらなる実施例を示す図である。
【図６Ｂ】  原則に沿ったさらなる実施例を示す図である。
【図６Ｃ】  原則に沿ったさらなる実施例を示す図である。
【図６Ｄ】  原則に沿ったさらなる実施例を示す図である。
【図７Ａ】  原則に沿ったさらなる実施例を示す図である。
【図７Ｂ】  原則に沿ったさらなる実施例を示す図である。
【図７Ｃ】  原則に沿ったさらなる実施例を示す図である。
【図７Ｄ】  原則に沿ったさらなる実施例を示す図である。
【図７Ｅ】  原則に沿ったさらなる実施例を示す図である。
【図７Ｆ】  原則に沿ったさらなる実施例を示す図である。
【図８】  この発明の実施例の自動式拳銃の形状での一部破断された側面図である。
【図９】  スライド（すなわち遊底）が最後部の位置にあるのを示す、図８の拳銃の一部の部分破断図である。
【図１】
0004689929.tif 000002
【図２】
0004689929.tif 000003
【図３】
0004689929.tif 000004
【図４】
0004689929.tif 000005
【図５】
0004689929.tif 000006
【図６Ａ】
0004689929.tif 000007
【図６Ｂ】
0004689929.tif 000008
【図６Ｃ】
0004689929.tif 000009
【図６Ｄ】
0004689929.tif 000010
【図７Ａ】
0004689929.tif 000011
【図７Ｂ】
0004689929.tif 000012
【図７Ｃ】
0004689929.tif 000013
【図７Ｄ】
0004689929.tif 000014
【図７Ｅ】
0004689929.tif 000015
【図７Ｆ】
0004689929.tif 000016
【図８】
0004689929.tif 000017
【図９】
0004689929.tif 000018